(57)【要約】      （修正有）【課題】半導体基板処理に用いられる反応チャンバーで用いられるガス供給システムの改良に関する。【解決手段】半導体基板処理のためのガス供給システムであって、複数のガス供給部１６，１８，２０と、複数のガス供給部からのガスを混合する混合マニホールド３０と、混合ガスをチャンバー内の異なったゾーンへ送る複数のガス供給ライン１２，１４と、コントロールバルブ３４とを含む。装置を利用する方法では、半導体基板を反応チャンバーに供給し、混合ガスを第１及び第２のゾーンへ供給し、第１及び第２のゾーンで所望の混合ガス流量比を作るために少なくとも第１のガス供給ライン上及び第２のガス供給ライン上のいずれかの混合ガス流量をコントロールバルブで調節することによって、基板を処理する。【選択図】図１
2011233905.tif 000002
【特許請求の範囲】
【請求項１】
半導体基板処理に用いられる反応チャンバーに有用なガス供給システムであって、
複数のガス供給部と、
前記複数のガス供給部からのガスを混合する混合マニホールドと、
前記チャンバー内の異なるゾーンへ前記混合ガスを供給する複数のガス供給ラインであって、前記チャンバー内の第１のゾーンへ混合ガスを送る第１のラインと前記チャンバー内の第２のゾーンへ混合ガスを送る第２のラインとを含む前記ガス供給ラインと、
前記第１及び第２のガス供給ラインにおける混合ガスの所望の流量比を得るために、少なくとも前記第１のガス供給ライン及び第２のガス供給ラインのいずれかにおける混合ガス流量を制御する少なくとも１つのコントロールバルブと、
前記少なくとも第１のガス供給ライン及び第２のガス供給ラインのいずれかにおける前記混合ガス流量を測定する少なくとも１つの流量測定装置と、
前記少なくとも１つの流量測定装置によって測定された流量に応じて少なくとも１つのコントロールバルブを操作するコントローラーと
を備えることを特徴とするガス供給システム。
【請求項２】
前記コントローラーが、
前記チャンバー内で半導体基板の処理中に、前記複数のガス供給ラインの少なくとも１つへ供給される混合ガス比を第１の設定値から第２の設定値へ変更するための、少なくとも１つの前記コントロールバルブを操作するコンピュータ又はプログラマブルロジックデバイスを備えることを特徴とする請求項１に記載のガス供給システム。
【請求項３】
前記コントロールバルブと前記流量測定装置とが、前記第１のガス供給ライン上に位置することを特徴とする請求項１に記載のガス供給システム。
【請求項４】
前記少なくとも１つのコントロールバルブが第１及び第２のコントロールバルブを備え、前記少なくとも１つの流量測定装置が第１及び第２の流量測定装置を備え、前記第１のコントロールバルブと前記第１の流量測定装置とが第１のガス供給ライン上に位置し、前記第２のコントロールバルブと前記第２の流量測定装置とが第２のガス供給ライン上に位置することを特徴とする請求項１に記載のガス供給システム。
【請求項５】
前記少なくとも１つのコントロールバルブと前記少なくとも１つの流量測定装置とが、前記第１のガス供給ライン上に単一のコントロールバルブと単一の流量測定装置とを備え、前記第２のガス供給ライン上に流量制限装置をさらに含むことを特徴とする請求項１に記載のガス供給システム。
【請求項６】
前記コントロールバルブが、前記第１の供給ラインへ第１の比率の混合ガスを供給し、前記第２の供給ラインへ第２の比率の混合ガスを供給するように動作する可変スプリッターバルブを備えることを特徴とする請求項１に記載のガス供給システム。
【請求項７】
前記少なくとも１つの流量測定装置が、
第１及び第２の流量測定装置と、
前記第１のガス供給ラインにおける混合ガス流量を測定する前記第１の流量測定装置と、
前記第２のガス供給ラインにおける混合ガス流量を測定する前記第２の流量測定装置と、
前記第１及び第２の流量測定装置によって測定される流量に応じて前記少なくとも１つのコントロールバルブを操作する前記コントローラーと
を備えることを特徴とする請求項６に記載のガス供給システム。
【請求項８】
前記少なくとも１つのコントロールバルブが、
前記第１のガス供給ライン上に位置する第１のコントロールバルブと、
前記第２のガス供給ライン上に位置する第２のコントロールバルブと、
前記第１のコントロールバルブを全開とするように操作し、前記第２のコントロールバルブを前記第２のガス供給ラインの流量が前記第１のガス供給ラインよりも低くなるように動的に操作する、前記コントローラーと
を備えることを特徴とする請求項１に記載のガス供給システム。
【請求項９】
前記少なくとも１つのコントロールバルブが、
前記第１のガス供給ライン上に位置する第１のコントロールバルブと、
前記第２のガス供給ライン上に位置する第２のコントロールバルブと、
前記第１のコントロールバルブを全開とするように操作し、前記第２のコントロールバルブを前記第１のガス供給ラインの流量がより多くなるように動的に操作する前記コントローラーと
を備えることを特徴とする請求項１に記載のガス供給システム。
【請求項１０】
前記ガス供給部と前記混合マニホールドとの間のマスフローコントローラーを更に備え、前記マスフローコントローラーが前記混合マニホールドへ供給されるガスの流量を制御することを特徴とする請求項１に記載のガス供給システム。
【請求項１１】
前記チャンバーが、RFエネルギーを用いて混合ガスにエネルギーを与えてプラズマ状態にするプラズマエッチングチャンバーを備えることを特徴とする請求項１に記載のガス供給システム。
【請求項１２】
複数のガス供給部と、前記複数のガス供給部からのガスを混合するための混合マニホールドと、前記チャンバー内の異なるゾーンへ前記混合ガスを供給する複数のガス供給ラインと、前記混合ガスを前記チャンバーの第１のゾーンへ供給する第１のガス供給ラインと前記混合ガスを前記チャンバーの第１のゾーンへ供給する第１のガス供給ラインとを含む前記ガス供給ラインと、前記第１及び第２のガス供給ラインにおける前記混合ガスの所望の流量比を得るために、前記第１及び第２のガス供給ラインの混合ガスの流量を制御する少なくとも１つのコントロールバルブと、少なくとも前記第１のガス供給ライン及び第２のガス供給ラインのいずれかにおける混合ガス流量を測定するための少なくとも１つの流量測定装置と、前記少なくとも１つの流量測定装置によって測定された流量に応じて前記少なくとも１つのコントロールバルブを操作するコントローラーとを含むガス供給システムにおける反応チャンバー内で基板を処理する方法であって、
前記反応チャンバーへ半導体基板を供給する工程と、
前記少なくとも１つの流量測定装置により、少なくとも前記第１のガス供給ライン及び前記第２のガス供給ラインのいずれかにおける混合ガス流量を測定する工程と、
前記第１及び第２のゾーンへ前記混合ガスを供給することにより前記基板を処理する工程であって、前記少なくとも１つの流量測定装置により測定された流量に応じて前記コントローラーにより前記少なくとも１つのコントロールバルブが調節される工程と
を備えることを特徴とする方法。
【請求項１３】
基板処理中に、前記第１のガス供給ラインにおける混合ガス流量を第１の設定値から第２の設定値へ変化させるために、前記少なくとも１つのコントロールバルブを前記コントローラーが操作することを特徴とする請求項１２に記載の方法。
【請求項１４】
前記第１のガス供給ラインの混合ガス流量が測定され、前記第１のガス供給ラインにおける混合ガス流量を制御するために前記少なくとも１つのコントロールバルブが調節されることを特徴とする請求項１２に記載の方法。
【請求項１５】
前記少なくとも１つのコントロールバルブが前記第１のガス供給ライン上の第１のコントロールバルブと前記第２のガス供給ライン上の第２のコントロールバルブとを備え、
前記方法が、
前記第１及び第２のガス供給ラインにおける混合ガス流量を測定する工程と、
前記第１及び第２のガス供給ラインにおける混合ガス流量を調節するために、少なくとも前記第１のコントロールバルブ及び前記第２のコントロールバルブのいずれかを調節する工程とを含むことを特徴とする請求項１２に記載の方法。
【請求項１６】
前記第１のガス供給ラインにおける混合ガス流量を測定する工程と、
前記第１のガス供給ラインにおける混合ガス流量を制御するために前記少なくとも１つのコントロールバルブを調節する工程と、
前記第２のガス供給ライン上の流量制限装置に混合ガスを供給する工程とを
更に備えることを特徴とする請求項１２に記載の方法。
【請求項１７】
前記少なくとも１つのコントロールバルブが可変スプリッターバルブを備え、
前記方法が
前記第１の供給ラインへ第１の比率の混合ガスを供給し、前記第２のガス供給ラインへ第２の比率の混合ガスを供給するために、前記可変スプリッターバルブを操作する工程を含むことを特徴とする請求項１２に記載の方法。
【請求項１８】
前記少なくとも１つの流量測定装置が前記第１及び第２のガス供給ラインにおける混合ガス流量を測定し、前記測定された流量に応じて前記コントロールバルブが操作されることを特徴とする請求項１７に記載の方法。
【請求項１９】
前記半導体基板がシリコンウェーハを備え、前記方法は前記ウェーハ上の誘電体、半導体又は導電体物質層をドライエッチングする工程を含むことを特徴とする請求項１２に記載の方法。
【請求項２０】
前記半導体基板上に物質の層を蒸着する工程を含むことを特徴とする請求項１２に記載の方法。
【請求項２１】
前記混合マニホールドへ供給されるガス流量を制御するために、前記ガス供給部と前記混合マニホールドとの間のマスフローコントローラーを操作する工程を更に備えることを特徴とする請求項１２に記載の方法。
【請求項２２】
前記チャンバーがRFエネルギーを用いて混合ガスにエネルギーを与えてプラズマ状態にするプラズマエッチングチャンバーを備え、前記方法が前記プラズマによって基板をエッチングする工程を含むことを特徴とする請求項１２に記載の方法。
【請求項２３】
前記チャンバーが、プラズマがチャンバー内で生成されるプラズマエッチングチャンバーを備え、
前記プラズマによって前記基板上の２酸化ケイ素、アルミニウム、または多結晶シリコンをエッチングする工程を含むことを特徴とする請求項１２に記載の方法。
【請求項２４】
前記チャンバーが、プラズマがチャンバー内で生成されるプラズマエッチングチャンバーを備え、
Cl2、HCl3、HBrから選択される少なくとも１つのハロゲンガスと、O2とN2とCHF3及びCF4から選択されるフルオロカーボンとのいずれかと、を前記混合マニホールドで混合する工程と、
エネルギーを与えて前記混合ガスをプラズマ状態にする工程と、
前記プラズマによって前記基板をエッチングする工程と
を含むことを特徴とする請求項１２に記載の方法。
【請求項２５】
前記チャンバーが、プラズマがチャンバー内で生成されるプラズマエッチングチャンバーを備え、
フルオロカーボンとO2またはC2H4とを混合する工程と、
エネルギーを与えて前記混合ガスをプラズマ状態にする工程と、
前記プラズマによって前記基板をエッチングする工程と
を含むことを特徴とする請求項１２に記載の方法。
【請求項２６】
前記コントローラーが、前記ガス供給部から前記混合マニホールドへ供給される合計ガス流量を監視し、前記合計ガス流量と前記ガス供給ラインの１つで測定されたガス流量とを、前記第２のガス供給ラインの目標流量と比較し、前記第１及び第２のガス供給ラインで所望の目標流量比を得るために、前記コントローラーによって前記少なくとも１つのコントロールバルブが繰り返し調節されることを特徴とする請求項１２に記載の方法。
【請求項２７】
第１及び第２のマスフローコントローラーが利用され、前記第１のマスフローコントローラーが全開となるように操作され、前記第２のマスフローコントローラーの設定値が繰り返し調節されることを特徴とする請求項２６に記載の方法。
【請求項２８】
第１及び第２のマスフローコントローラーが利用され、現在の流量値と、現在値と目標流量との間の差分の倍数とに基づいて制御される前記マスフローコントローラーに新しい設定値を繰り返し与えることによって、分割ガス流量の安定にかかる時間が減少されることを特徴とする請求項２６に記載の方法。
【発明の詳細な説明】
【技術分野】
【０００１】
本発明は、集積回路ウェーハのような半導体基板処理に用いられる反応チャンバーに関するものであって、特に、これらの反応チャンバーで用いられるガス供給システムの改良に関するものである。
【背景技術】
【０００２】
半導体製造は、金属,誘電体,半導体材料の化学蒸着(CVD)、それらの層のエッチング、フォトレジストマスク層のアッシングなどの蒸着プロセスを含む。典型的に半導体ウェーハ、フラットパネルディスプレイ基板などの基板を扱うためにプロセスガスを用いるそのような半導体プロセスは、真空チャンバー内で行われる。シャワーヘッド、ガス供給リング、ガスインジェクターなどのガス供給システムによって、プロセスガスを真空チャンバーの内部へ供給することができる。複数のガス供給システムを有する反応装置が、米国特許第５,１３４,９６５号、同第５,４１５,７２８号、同第５,５２２,９３４号、同第５,６１４,０５５号、同第５,７７２,７７１号、同第６,０１３,１５５号、同第６,０４２,６８７号にそれぞれ開示されている。
【０００３】
エッチングの場合、プラズマエッチングは通常、金属、誘電体、半導体材料のエッチングに用いられている。プラズマエッチング反応装置は、典型的には、下部電極上のシリコンウェーハ支持台、プロセスガスをプラズマ状態にするエネルギーを与えるエネルギーソース、チャンバーにプロセスガスを供給するプロセスガスソースを含む。
【０００４】
集積回路製造において共通して必要なものは、誘電体材料のコンタクトやビアのような開口のエッチングである。誘電体材料は、フッ化シリコン酸化物(fluorinated silicon oxide:FSG)のようなドープシリコン酸化物(doped silicon oxide)、二酸化ケイ素のようなアンドープシリコン酸化物(undoped silicon oxide)、ボロン燐ガラス(boron phosphate silicate glass:BPSG)やリンガラス(phosphate silicate glass:PSG)のようなケイ酸ガラス(silicate glass)、熱成長させたドープまたはアンドープシリコン酸化物(doped or undoped thermally grown silicon oxide)、ドープまたはアンドープTEOS蒸着シリコン酸化物(doped or undoped TEOS deposited silicon oxide)、などを含む。誘電体ドーパント(dielectric dopants)は、ボロン、リン、及び／またはヒ素を含む。誘電体は、多結晶シリコンや、アルミニウム、銅、チタン、タングステン、モリブデンまたはその合金などの金属や、窒化チタンのような窒化物や、ケイ化チタン、ケイ化コバルト、ケイ化タングステン、ケイ化モリブデンのような金属ケイ化物などの導電体または半導体層の上に重ねることができる。プラズマエッチング技術は、米国特許第５,０１３,３９８号のシリコン酸化物の開口エッチングのための平行プレートプラズマ反応装置、に開示されている。
【０００５】
米国特許第５,７３６,４５７号では、シングル及びデュアル"ダマシン（damascene）"配線プロセスについて記載されている。"シングルダマシン（single damascene）"法においては、ビアと導電体が別々のステップにおいて形成され、導電体又はビアの何れかの配線パターンは、誘電体層にエッチングされる。また、金属層が誘電体層にエッチングされた溝やビアホールへ満たされ、余剰金属が化学機械平坦化(chemical mechanical planarization:CMP)又はエッチバックプロセス（etch back process）によって除去される。"デュアルダマシン（dual damascene）"法においては、ビアと導電体の配線パターンが誘電体層でエッチングされ、金属の充填と余分な金属を除去する単一のプロセスによりエッチングした溝とビア孔が金属で満たされる。
【０００６】
ウェーハの表面全体で均一なエッチングレートを得るために、ウェーハの表面全体でプラズマが一様に分布することが望まれる。現在のガス供給チャンバーのデザインは、チャンバー内の個々の領域にガスを供給するために複数の供給ラインと複数のマスフローコントローラー(mass flow controllers : MFC)を含んでいる。しかしながら、現在のガス供給デザインには、多数の部品と、デザインの複雑さと、高いコストとが要求される。したがって、このようなガス供給装置を製造するための複雑さとコストとは削減されることが望ましい。
【発明の概要】
【０００７】
本発明は、複数のガス供給部と、前記複数のガス供給部からのガスを混合する混合マニホールドと、チャンバー内の異なるゾーンへ混合ガスを供給する複数のガス供給ラインであって、チャンバー内の第１のゾーンへ混合ガスを送る第１のラインとチャンバー内の第２のゾーンへ混合ガスを送る第２のラインとを含むガス供給ラインと、第１及び第２のガス供給ライン上で混合ガスの所望の流量比を得るために、少なくとも第１のガス供給ライン上及び第２のガス供給ライン上のいずれかの混合ガス流量を制御する少なくとも１つのコントロールバルブと、少なくとも第１のガス供給ライン上及び第２のガス供給ライン上のいずれかの混合ガス流量を測定する少なくとも１つの流量測定装置と、少なくとも１つの流量測定装置によって測定された流量に応じて少なくとも１つのコントロールバルブを操作するコントローラーとを備える、半導体基板処理に用いる反応チャンバーに有用なガス供給システムである。
【０００８】
好適な実施形態においては、コントローラーは、チャンバー内で半導体基板の処理中に、複数のガス供給ラインのうち少なくとも１つへ送られる混合ガス比を第１の設定値から第２の設定値へ変えるための少なくとも１つのコントロールバルブを操作するコンピュータ又はプログラマブルロジックデバイスを含む。１つの実施形態としては、少なくとも１つのコントロールバルブは第１及び第２のコントロールバルブを含み、少なくとも１つの流量測定装置は第１及び第２の流量測定装置を含む。そして第１のコントロールバルブと第１の流量測定装置は第１のガス供給ライン上にあり、第２のコントロールバルブと第２の流量測定装置は第２のガス供給ライン上にある。もう１つの実施形態としては、少なくとも１つのコントロールバルブは単一の流量測定装置を含み、少なくとも１つの流量測定装置は第１のまたは第２のガス供給ライン上のどちらかにある単一の流量測定装置を含む。反応チャンバーは、プラズマエッチングチャンバーやCVDチャンバーのような真空チャンバーを含んでもよい。
【０００９】
本発明は反応チャンバーでの基板処理方法をも提供するものであり、当該方法は、反応チャンバーへ半導体基板を供給する工程と、少なくとも１つの流量測定装置により、少なくとも第１のガス供給ライン及び第２のガス供給ラインのいずれかにおける混合ガス流量を測定する工程と、第１及び第２のゾーンへ混合ガスを供給することにより基板を処理する工程であって、少なくとも１つの流量測定装置により測定された流量に応じてコントローラーにより少なくとも１つのコントロールバルブが調節される工程とを備える。好適な実施形態としては、コントローラーがガス供給部から混合マニホールドへ供給される全体のガス流量を監視し、全体のガス流量とガス供給ラインの１つで測定されたガス流量を第２のガス供給ラインの目標流量と比較し、第１及び第２のガス供給ライン上で所望のガス流量比を得るためにコントローラーが少なくとも１つのコントロールバルブを繰り返し調節する。半導体基板は、ウェーハ上への金属層の蒸着かまたは、ウェーハ上への誘電体、半導体、導電体層のプラズマエッチングによって作られたシリコンウェーハを含むことができる。
【００１０】
本発明の目的及び利点は、以下における詳細な記述を図面と併せて読むことで理解されるであろう。
【図面の簡単な説明】
【００１１】
【図１】本発明の第１の実施形態に対応するガス供給装置を示す図である。
【図２】本発明の第１の実施形態に対応する反応チャンバー内のガス供給コントロールプロセスのフローチャートである。
【図３】本発明の第２の実施形態に対応するガス供給装置を示す図である。
【図４】本発明の第２の実施形態に対応する反応チャンバー内のガス供給コントロールプロセスのフローチャートである。
【図５】本発明の第３の実施形態に対応するガス供給装置を示す図である。
【図６】本発明の第４の実施形態に対応するガス供給装置を示す図である。
【図７Ａ】本発明の第５の実施形態に対応するガス供給装置を示す図である。
【図７Ｂ】本発明の第６の実施形態に対応するガス供給装置を示す図である。
【図８】プラズマ反応チャンバー内の複数の領域へ供給されるガスを分離するために固定オリフィス（fixed orifices）を利用するガス供給システムを示す図である。
【発明を実施するための形態】
【００１２】
本発明をより良い理解のために、以下の詳細な記述においては、本発明の好適で典型的な実施形態を図示・記述する添付図面を引用する。なお、類似の要素を識別するために利用する参照番号は図面全体で一貫して使用するものとする。
【００１３】
本発明においては、ガス供給装置は処理チャンバー内の複数のゾーンへ所望の比率で混合ガスを供給する。このガス供給装置は、半導体基板上に選択的にプロセスガスを供給するあらゆるタイプの半導体処理装置に使用することができる。そのような装置には、CVDシステム、アッシング装置（ashers）、容量結合プラズマ反応装置、誘導結合プラズマ反応装置、ECR反応装置などが含まれる。
【００１４】
本発明の第１の実施形態によれば、反応プラズマエッチングチャンバーや他の真空プロセス反応装置のような半導体処理チャンバー内の多数のゾーンへ混合プロセスガスがガス供給システムを介して供給され、それと同時に、所定の設定値と少なくとも１つの流量測定値（at least one flow rate reading）に基づいて、各ゾーンへ供給されるプロセスガスの割合（the fraction of process gas）のフィードバック制御が行われる。半導体ウェーハ上の二酸化シリコン、アルミニウム、多結晶シリコン膜のエッチングにおいては、一般にウェーハの中心付近の領域と周辺部（エッジ）の両方に対して、比率の制御された混合ガスを供給することが望ましい。所望の比率はアプリケーションに依存するが、ガス供給の最適な空間分布は、ウェーハ全体で均一なエッチング結果をもたらす。例えば、あるアプリケーションでは、おおまかに言ってプロセスガスの７５％をエッジに、２５％をウェーハの中心部に供給するのが良いとされている。同じ装置を用いるエッチングの他のアプリケーションでは、プロセスガスの１０％をエッジに、９０％をウェーハの中心部に供給するのが良いとされている。さらに、複雑な多ステップを持つエッチング法では、ステップ毎に２つのゾーンへ送るプロセスガスの比を変えることが望ましい場合もある。従来の装置では、目的のアプリケーションとエッチングの均一性の要求とのトレードオフに基づいて、ガス供給の固定空間分布（a fixed spatial distribution of gas feed）（例えば、特定のホールパターンを持つシャワーヘッド）が、典型的に選ばれていた。
【００１５】
本発明のガス供給システムは、処理チャンバー内におけるガス組成をニュートラルになるように調整し、ウェーハ全体で均一なプロセス（例えばエッチング）結果を得られるようにするために、処理チャンバー内の多数のゾーンへ供給するプロセスガスの割合をリアルタイムで制御する能力を持つ。これは、集積回路製造においてより直径の大きいウェーハが利用され、デバイスの形状（feature sizes on the devices）が縮小し続けるような、高度な半導体処理装置において特に有益な特徴である。
【００１６】
本発明のガス供給システムは、ガス供給ライン、圧力レギュレーター、マスフローコントローラー(MFC)、さまざまなシャットオフバルブや配管、混合マニホールドによってプロセスガスを供給する真空チャンバーにおいて実現することができる。本発明に対応するガス供給装置は、混合マニホールドと真空プロセス（エッチングやCVD）チャンバーの間に物理的に位置し、チャンバー内の多数のゾーンへ送る多数のラインへ混合ガスを分配することができる。ガス室からチャンバーへ送られる流量はコンピュータによって制御されるのが好ましく、チャンバーの操作とプロセスパラメータの制御には、典型的には同じコンピュータが用いられる。操作において、ユーザーはガス供給システムに、ウェーハをエッチングする反応装置への混合プロセスガスを供給する１以上のガスの流量を設定する。例えばアルミニウムエッチングを行うアプリケーションの場合、ユーザーはメインエッチングステップの間、Cl2、BCl3、N2の流量をそれぞれ100、200、4sccmにして混合ガスを流す。プロセスガス成分のフローレート（the flow rates of the process gas components）は、MFCによって制御、監視される。
【００１７】
１つの実現方法として、本発明は、少なくとも１つの流量測定装置と、１つの流量制御装置と、チャンバー内の少なくとも２つのゾーンへ供給される混合ガス流量比を制御するためのフィードバックコントロールシステムとを含むことができる。フィードバックコントロールシステムは、アナログ電子回路及び／またはプログラマブルロジックデバイスやコンピュータで実行されるデジタル制御アルゴリズムを含むことができる。
【００１８】
図１は、本発明の第１の実施形態に対応するガス供給システムの図であり、プロセスチャンバー１０には（シャワーヘッドやチャンバーの上部に付けられた他のガス供給装置へプロセスガスを与える）ガス供給ライン１２と（例えば基板ホルダーの周りにあるガス供給リングや基板支持台にあるガス出口のような、チャンバーの下部へプロセスガスを供給する）ガス供給ライン１４とを介してプロセスガスが供給される。しかし、選択的デュアルガス供給装置は、チャンバーの上部中心と上部周辺部にガスを供給することができる。ガス供給部１６、１８、２０からガスライン１２、１４にプロセスガスが供給され、供給部１６、１８、２０からマスフローコントローラー２２、２４、２６へそれぞれプロセスガスが供給される。プロセスガスは、マスフローコントローラー２２、２４、２６から混合マニホールド２８へ供給され、その後、混合プロセスガスが任意のフローメーター３０を介して分配され、フローライン１２、１４へ送られる。フローライン１２は任意の流量制限装置３２を含むことができ、フローライン１４は流量測定装置３４とフィードバックコントロールバルブ３６を含むことができる。コントロールシステム４０は流量測定装置３４を監視し、マスフローコントローラー２２、２４、２６とフィードバックコントロールバルブ３６を制御する。このフィードバックコントロールシステムは、処理チャンバー内の２つのゾーンへ供給される混合ガス比を調節する。任意の流量制限装置３２は、固定オリフィスやニードルバルブなどである。
【００１９】
操作において、ユーザーは、ガス室の各供給ガス流量の設定値を選択し、処理チャンバーの各領域へ供給する混合流量の割合（the fraction of mixed flow）を選択する。例えばユーザーは、Cl2、BCl3、O2の流量をそれぞれ100、200、4sccmに選択し、その75％をライン１２へ、25％をライン１４へ送るように選択する。それぞれのラインに供給される混合流量の割合（the fraction of mixed flow）は、ライン１４上で測定された実際の流量と目的の流量に基づいて、ライン１４上のフィードバックコントロールバルブで繰り返し調節することで制御される。全体の流量を比較することで、この場合では、ガス室のマスフローコントローラー２２、２４、２６の全ての流量読み取り値の合計と、チャンバーに送るライン１２上で測定された流量とを比較することで、コントローラーは所望の供給流量を得るためにライン１４上のバルブ３６を絞る程度を調節することができる。または、ガス室のMFC２２、２４、２６の読み取り値を合計して全体流量を決定する代わりに、混合ガスの全体流量を測定するために任意の全体流量測定器を混合マニホールド２８の下流に取り付けることができる。
【００２０】
ガス室のMFCの読み取り値を合計することで全体流量を決定する場合、ガスの組成がプロセスによって異なるような一般的な場合に正確で順応性のある制御を行うために、これらの流量は、窒素のような参照ガスの等価な標準立法センチメートル毎分(standard cubic centimeters per minute : sccm)に変換される。このように、混合ガス流量を"等価窒素流量(nitrogen equivalent flow)"に変換する計算が行われ、ライン１４にあるライン上流量測定装置（in-line flow measurement device）が全ての流量測定値を同じ基準で測定するために"等価窒素流量"を計算する。一例として、典型的なサーマルベースのマスフロー測定器では、Cl2の100sccmは窒素の116.5sccmと等価であり、BCl3の200sccmは窒素の444.4sccmと等価であり、O2の4sccmは窒素の4.08sccmと等価である。従って、上の例の混合ガスの"等価窒素流量"は564.98sccmであり、フィードバックコントロールバルブで25％をラインへ送るためには、この例では読み取り値を0.25*564.98=141.2sccmの窒素流量になるようにコントロールループを調節する。定常状態では、ガス室からの供給される混合ガスの全体流量は最後にはチャンバーに到達することに注意する。それは、ライン１２上の任意の流量制限装置はそのプロセスの間は調節を行わず、混合マニホールドにおいて全体の流入量と全体の流出量が等しくなるまで圧力が自然に増加するためである。
【００２１】
図２は、図１の装置に用いられるガス供給を分割する制御方法のフローチャートである。この手続きは、所定のプロセスが実行されている間、状態と流量をリアルタイムで変えるために、おおよそ1-500Hz（例えば50Hz）で繰り返し実行される。図２のフローチャートに示したステップの中で、Ｓ１は処理チャンバーの特定の領域に供給する流量のパーセントのような、流量を分割するための設定値(flow splitting set point)を入力するステップであり、Ｓ２は処理チャンバーに供給される混合ガスの合計流量を読取るかまたは決定するステップであり、Ｓ３は流量分割設定値（flow split setpoint）と合計流量(total flow rate)に基づいてライン１４上の目標流量を計算するステップを示し、Ｓ４はライン１４上のガス流量を読み取るステップを示し、Ｓ５はライン１４上の目標流量と実際の流量との差であるライン１４上の流量誤差を計算するステップを示し、Ｓ６は、ライン１４上での流量誤差を減らすために、比例(P)、比例と積分(PI)、または比例と積分と微分(PID)補償を用いることで、バルブの制御設定値（例えば、開き度合いのパーセント）を調節するステップを示す。
【００２２】
図３は、本発明によるガスフロー装置の第２のそして最も好適な実施形態を示し、ライン１２上の任意の流量制限装置は、フローメーター４２とフィードバックコントローラースロットルバルブ４４との組合せで置き換えられている。すなわち、プロセスガスは２つのスロットルバルブと２つのフローメーターを用いて分割されるという実施形態である。一又は両方のスロットルバルブの開きは、ユーザーが選択した流量分割値とフローメーターの値との比較に基づいて調節される。都合のよいことに、フローメーターとスロットルバルブの組（点線で囲ってある）は、従来のマスフローコントローラーを用いて実現でき、制御システムは、ユーザーが選択した分割流量を得るために各々のラインへ個々の流量設定値を送る。この実施形態は、各々のガス供給ラインのコンダクタンスを調節、制御することができるという点で、図１の場合よりも少し柔軟になっている。例えば、どちらかのラインに0-100%の流量を分けるように調節する能力を持つことができる。これに対し、図１の実施形態では、任意の流量制限装置３２を（手動で）調節しないとライン１４に100％の流量を送ることができない。さらに、図３の実施形態では、ウェーハの処理中にそれぞれのライン上の混合ガス流量をリアルタイムに測定することができ、リアルタイムで障害（例えば、ライン上の妨害物や、ガス室のMFCキャリブレーションのドラフト）の検出ができる。運転中、一又は両方のスロットルバルブの開きは、ユーザーが選択する流量分割設定値と、ライン１２又は１４のいずれか一方の流量測定値と全体の流量（ライン１２と１４のそれぞれの流量読み取り値の合計を測定して得られる）との比によって決定される実際に分割された流量との比較に基づいて調節される。都合のよいことに、ライン１２と１４のどちらか一方かまたは両方にあるフローメーターとスロットルバルブの組（線で囲ってある）は、従来のマスフローコントローラーを用いて実現でき、制御システムは、ユーザーが選択した分割流量を得るためにライン１２と１４上の各MFCへ別々の流量設定値を送る。
【００２３】
ライン１２と１４上に従来のMFCを用いる場合、一般に、あるMFCは、他のMFCがユーザーが選択した流量分割値を得るためにコントロール回路かマイクロプロセッサ（または等価なもの）で実行するアルゴリズムによって実際に制御されている間、完全に開いた状態になるように制御されていることが望ましい。これは合計の混合流量が合計の混合流出量と等しくなることを保証し、それゆえ、ライン１２と１４上のMFCの上流にはチャンバー内のプロセスに影響する無用で余分なガスの蓄積はない。このことはさらに、これらのMFCがお互いにガス供給を競わないようにして、制御が不安定にならないようにしている。ライン１２と１４上のMFCが全く同じ（例えば、フローキャリブレーションと能力が同じで、圧力降下が同じなど）であり、設定値が最大のライン上のMFCは通常、完全に開くように制御されていると仮定すると、他のライン上のMFCは、そのラインの流量をより低くするように、設定値とそれぞれの流量読み取り値とに基づいて制御される。これは次のように説明できる。MFCは同一であり、両方とも完全に開くように制御されるとすると、各ライン上の流量は50％になる。ライン１２上で50％以上を得るためには、ライン１４の流量コンダクタンスを減らす（ライン１４のスロットルバルブを少し閉めることで）必要がある。これは、混合マニホールドの圧力を少し上昇させ、ライン上の流量はそのラインの圧力降下に比例するためにライン１２を通る流量が増加する。完全に開いた状態に制御されたMFCを"マスター"MFCと呼び、実際に制御されるMFCを"スレーブ"MFCと呼ぶことにする。
【００２４】
実際には、２つのMFCについてフローコントロールとキャリブレーションを同一にすることはできるが、同一の圧力降下（identical pressure drops）を有することは製造上の問題から普通はない。実際は、いくつかの状況において所望の制御性能を得るためにMFCの異なるレンジを利用することは有用である。例えば、低い流量（例えば100sccm以下）において４倍の制御精度を得るために、250sccmのMFCのラインにおいて、1000sccmと250sccmのMFCを組み合わせて使う。MFCは典型的には全体のレンジの数パーセントだけを正確に制御できるので、低いレンジのMFCのラインにおいて精度が改良される。（MFC内部のPIDのチューニングは、これらの違いを補償する。）従って、与えられた分割流量に対するマスターMFCとスレーブMFCとの選択は、通常、両方のMFCを完全に開くように制御したときに個々のMFCの流量分割を測定するキャリブレーション実験に基づいて決定される。さらに、加工していない分割流量は、用いられているMFCの相対的なレンジ（例えば1000と250sccmのMFC 対 1000と1000sccmのMFC）とその流量に加えてガスの種類にも影響し、マスターとスレーブMFCを正確に制御するためには、ルックアップテーブルを用いる必要がある。さらに、制御アルゴリズムは、正しくマスター（全開）MFCが制御され、ユーザーが選択した流量分割に基づいてマスターが調節されているかどうかなどを評価するためのコントロールループをチェックすることができる。
【００２５】
図４のフローチャートに、この実施形態の全体の制御アルゴリズム（マスター/スレーブチェック以外の）を示す。図４は、処理チャンバーの少なくとも２つの異なる領域への流量を独立に制御するための基本的な機能のフローチャートであり、Ｓ１０は、全体の混合ガス流量分割のための設定値入力のステップであり、Ｓ１１は、各ガスラインの実際の流量（処理中のウェーハの中心と端のような）を読み取り、全体の流量を決定するステップであり、Ｓ１２は、流量分割設定値に基づいて各ガスラインに送る目標流量を計算するステップであり、Ｓ１３は、マスターとスレーブ（制御される）流量コントローラーを選択するステップであり、Ｓ１４は、目標流量に合うようにスレーブフローコントローラーの設定値を計算するステップ（このステップは、現在の分割流量誤差を計算し、新しい設定値のためにPID補償を行うことで、目標流量へ正確に到達する）であり、Ｓ１５は、各々の（処理中のウェーハの中心とエッジのような）ガス供給ラインのフローコントローラーへ設定値を書き込むステップである。流量分割制御の応答時間は、スレーブMFCの目標流量の計算にPID補償を加えることでさらに改良することができる。例えば、新しいスレーブ設定値への比例補償を加えると、新しい設定値は次式のように計算される。
【００２６】
新しいスレーブＭＦＣＸ流量設定値（New Slave MFCX Flow Setpoint）＝ スレーブＭＦＣ目標流量（Slave MFC Target Flow）+ 比例ゲイン（Proportional Gain）* （スレーブＭＦＣ目標流量−スレーブＭＦＣの実際の流量）(Slave MFC Target Flow - Slave MFC Actual Flow)。
【００２７】
図５は、本発明の別の実施形態を示し、プロセスガスは１入力２出力のスロットルバルブを用いて分割され、制御設定値は前に決定されたバルブキャリブレーション値に基づいて各ラインへ送られた流量を選択する。この実施形態の１つの欠点は、分割バルブのキャリブレーションが、ガス組成と流量に依存することである。各ラインでの相対流量を監視するフローメーターが無い場合には、与えられた混合組成と流量での流量分割の正確さがプロセスの状態によって変わってしまう。ライン中にフローメーターがないと、妨害物や、ウェーハプロセス結果にドリフトをもたらすキャリブレーションのドラフトのような、状況の障害の検出もできない。この実施形態のもう１つの欠点は、広範囲に入手できるマスフローメーター、フローコントロールバルブ、マスフローコントローラーと異なり、１入力２出力のスロットルバルブが、現在、商業的に入手しづらいことである。
【００２８】
図６は、図５の実施形態に、障害検出と分割バルブのフィードバックコントロールを行う少なくとも１つのフローメーター４２、３４をガス供給ライン上に加えたものである。図６でフローメーターを１つだけ用いる場合、全体の流量測定値は、ガス室のMFCの読み取り値の合計を求めることで決定する。２つのフローメーターを用いる場合、全体の流量はライン１２と１４上のメーターによって測定された流量の合計を求めることで決定される。
【００２９】
図７Ａは、本発明の第５の実施形態によるガス供給装置を示し、マニホールド２８からのガスは、上部のガス供給ライン１２と周囲のガス供給ライン１４に分割され、ラインのそれぞれはフローメーター４２、３４とフィードバックコントロールスロットルバルブ４４、３６を含む。この実施形態では、上部のガスは(本明細書においては、引用により記載に代える)米国特許第４,９４８,４５８号に示されているチャンバーの誘電体ウィンドウの中心から供給され、周囲のガスはウィンドウの下のガスリングから供給される。
【００３０】
図７Ｂは、本発明の第６の実施形態によるガス供給システムを示し、ガスは２つのゾーンのシャワーヘッドに供給される。この実施形態は、本明細書において引用により記載に代えるところの米国公開特許第０９／３４３,６９０号(p510)で一般に示されている。このガス供給システムは、マニホールド２８からガス供給ライン５０を通って中心部へガスを供給し、ガス供給ライン５２を通って環状の周辺部へガスを供給する。中心部は、周辺部より直径の小さい円状または環状などのさまざまな形状をとることができる。
【００３１】
図８は、処理チャンバー内の複数の場所へ供給ガスを分割するために、混合マニホールドの下流に、１以上の固定オリフィスかアパーチャを用いた実施形態である。図８の例は、中心とエッジにガスを供給するフラットパネルディスプレイエッチング装置に用いられている。中心ガス供給ラインには、単一の中心ガス供給ラインの中に固定オリフィスを取り付け、一方、エッジ供給ラインにはオリフィスを付けず、複数のエッジガス供給ラインを付ける。中心ガス供給ライン中の固定オリフィスの目的は、チャンバーの中心へ供給するガスを制限するためである。すなわち、チャンバーの中心へ送る流量は、固定オリフィスがないと所望の量より多くなってしまう。
【００３２】
本発明によるガス供給システムは、高密度プラズマ反応装置に用いることができる。そのようなプラズマ反応装置は高密度プラズマを作るために、RFエネルギー、マイクロ波エネルギー、磁場などを用いた高エネルギー源を持っている。例えば、誘導結合プラズマ反応装置と呼ばれるtransformer coupled plasma（TCP（登録商標））、電子サイクロトロン共鳴（ECR）プラズマ反応装置、ヘリコンプラズマ反応装置などでにおいて、高密度プラズマが作られる。高密度プラズマを作ることができる高流量プラズマ反応装置の例は、ここにおいて引用により記載に代えるところの米国特許第５、８２０、７２３号に開示されている。
【００３３】
本発明によるガス供給システムは、前述の実施形態における、第１及び第２のガス供給部から供給されるプロセスガスを変化させることができるプラズマエッチングプロセスに用いることができ、例えば、溝のエッチング中には、Ar、酸素、フルオロカーボン(例えばCHF3とC4F8)の混合ガスを供給し、ビアのエッチング中には、ウェーハ中心領域に供給する混合ガス流量を減らすことでウェーハ中心領域の酸素流量を減らすことができる。低誘電体層のエッチングの場合、プロセスガスはC2H4のようなハイドロカーボンを含み、ウェーハの中心部と周辺部におけるハイドロカーボン/酸素の流量比は、均一なエッチングを行うために、直径方向に変化させることができる。そして、本発明によって、プラズマチャンバー内で、エッジが速くエッチングされたり中心が速くエッチングされたりする状態を補償するために、ウェーハの中心部とエッジ部に供給される混合ガスの量を調節することができる。例えば、従来のエッチング装置では、中心が早くエッチングされる状態の後にフォトレジストが浸食するまで、エッジが早くエッチングされる状態が生じる。フォトレジスト層が浸食されるときは中心部の酸素流量は減少するものであるが、本発明によるガス供給装置によって、フォトレジスト層を持つウェーハの中心部により多くの酸素を供給することができる。その結果、エッジが早くエッチングされる状態と中心が早くエッチングされる状態が補償され、より均一なエッチングが実現される。
【００３４】
本発明は、好適な実施形態によって記述された。しかし、本発明の精神から外れない他の形態においても本発明を実施することができる技術であることは明らかである。好適な実施形態は例示的なものであって、いかなる方法においても限定的に解釈されるべきではない。本発明の範囲は上述の記載ではなく付加したクレームによって与えられ、クレームの範囲に含まれる全ての変形物及び均等物はクレームに包含されることを意図している。
【図１】
2011233905.tif 000003
【図２】
2011233905.tif 000004
【図３】
2011233905.tif 000005
【図４】
2011233905.tif 000006
【図５】
2011233905.tif 000007
【図６】
2011233905.tif 000008
【図７Ａ】
2011233905.tif 000009
【図７Ｂ】
2011233905.tif 000010
【図８】
2011233905.tif 000011
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
半導体基板処理に用いられる反応チャンバーに有用なガス供給システムであって、
複数のガス供給部と、
前記複数のガス供給部からのガスを混合する混合マニホールドと、
前記チャンバー内の異なるゾーンへ前記混合ガスを供給する複数のガス供給ラインであって、前記チャンバー内の第１のゾーンへ混合ガスを送る第１のラインと前記チャンバー内の第２のゾーンへ混合ガスを送る第２のラインとを含む前記ガス供給ラインと、
前記第１及び第２のガス供給ラインにおける混合ガスの所望の流量比を得るために、少なくとも前記第１のガス供給ライン及び第２のガス供給ラインのいずれかにおける混合ガス流量を制御する少なくとも１つのコントロールバルブと、
前記少なくとも第１のガス供給ライン及び第２のガス供給ラインのいずれかにおける前記混合ガス流量を測定する少なくとも１つの流量測定装置と、
前記少なくとも１つの流量測定装置によって測定された流量に応じて少なくとも１つのコントロールバルブを操作するコントローラーと
を備えることを特徴とするガス供給システム。
【請求項２】
前記コントローラーが、
前記チャンバー内で半導体基板の処理中に、前記複数のガス供給ラインの少なくとも１つへ供給される混合ガス比を第１の設定値から第２の設定値へ変更するための、少なくとも１つの前記コントロールバルブを操作するコンピュータ又はプログラマブルロジックデバイスを備えることを特徴とする請求項１に記載のガス供給システム。
【請求項３】
前記少なくとも１つのコントロールバルブが第１及び第２のコントロールバルブを備え、前記少なくとも１つの流量測定装置が第１及び第２の流量測定装置を備え、前記第１のコントロールバルブと前記第１の流量測定装置とが第１のガス供給ライン上に位置し、前記第２のコントロールバルブと前記第２の流量測定装置とが第２のガス供給ライン上に位置することを特徴とする請求項１に記載のガス供給システム。
【請求項４】
前記コントロールバルブが、前記第１の供給ラインへ第１の比率の混合ガスを供給し、前記第２の供給ラインへ第２の比率の混合ガスを供給するように動作する可変スプリッターバルブを備えることを特徴とする請求項１に記載のガス供給システム。
【請求項５】
前記少なくとも１つの流量測定装置が、
第１及び第２の流量測定装置と、
前記第１のガス供給ラインにおける混合ガス流量を測定する前記第１の流量測定装置と、
前記第２のガス供給ラインにおける混合ガス流量を測定する前記第２の流量測定装置と、
前記第１及び第２の流量測定装置によって測定される流量に応じて前記少なくとも１つのコントロールバルブを操作する前記コントローラーと
を備えることを特徴とする請求項４に記載のガス供給システム。
【請求項６】
前記少なくとも１つのコントロールバルブが、
前記第１のガス供給ライン上に位置する第１のコントロールバルブと、
前記第２のガス供給ライン上に位置する第２のコントロールバルブと、
前記第１のコントロールバルブを全開とするように操作し、前記第２のコントロールバルブを前記第２のガス供給ラインの流量が前記第１のガス供給ラインよりも低くなるように動的に操作する、前記コントローラーと
を備えることを特徴とする請求項１に記載のガス供給システム。
【請求項７】
前記少なくとも１つのコントロールバルブが、
前記第１のガス供給ライン上に位置する第１のコントロールバルブと、
前記第２のガス供給ライン上に位置する第２のコントロールバルブと、
前記第１のコントロールバルブを全開とするように操作し、前記第２のコントロールバルブを前記第１のガス供給ラインの流量がより多くなるように動的に操作する前記コントローラーと
を備えることを特徴とする請求項１に記載のガス供給システム。
【請求項８】
前記ガス供給部と前記混合マニホールドとの間のマスフローコントローラーを更に備え、前記マスフローコントローラーが前記混合マニホールドへ供給されるガスの流量を制御することを特徴とする請求項１に記載のガス供給システム。
【請求項９】
前記チャンバーが、RFエネルギーを用いて混合ガスにエネルギーを与えてプラズマ状態にするプラズマエッチングチャンバーを備えることを特徴とする請求項１に記載のガス供給システム。
【請求項１０】
複数のガス供給部と、前記複数のガス供給部からのガスを混合するための混合マニホールドと、前記チャンバー内の異なるゾーンへ前記混合ガスを供給する複数のガス供給ラインと、前記混合ガスを前記チャンバーの第１のゾーンへ供給する第１のガス供給ラインと前記混合ガスを前記チャンバーの第１のゾーンへ供給する第１のガス供給ラインとを含む前記ガス供給ラインと、前記第１及び第２のガス供給ラインにおける前記混合ガスの所望の流量比を得るために、前記第１及び第２のガス供給ラインの混合ガスの流量を制御する少なくとも１つのコントロールバルブと、少なくとも前記第１のガス供給ライン及び第２のガス供給ラインのいずれかにおける混合ガス流量を測定するための少なくとも１つの流量測定装置と、前記少なくとも１つの流量測定装置によって測定された流量に応じて前記少なくとも１つのコントロールバルブを操作するコントローラーとを含むガス供給システムにおける反応チャンバー内で基板を処理する方法であって、
前記反応チャンバーへ半導体基板を供給する工程と、
前記少なくとも１つの流量測定装置により、少なくとも前記第１のガス供給ライン及び前記第２のガス供給ラインのいずれかにおける混合ガス流量を測定する工程と、
前記第１及び第２のゾーンへ前記混合ガスを供給することにより前記基板を処理する工程であって、前記少なくとも１つの流量測定装置により測定された流量に応じて前記コントローラーにより前記少なくとも１つのコントロールバルブが調節される工程と
を備えることを特徴とする方法。
【請求項１１】
基板処理中に、前記第１のガス供給ラインにおける混合ガス流量を第１の設定値から第２の設定値へ変化させるために、前記少なくとも１つのコントロールバルブを前記コントローラーが操作することを特徴とする請求項１０に記載の方法。
【請求項１２】
前記第１のガス供給ラインの混合ガス流量が測定され、前記第１のガス供給ラインにおける混合ガス流量を制御するために前記少なくとも１つのコントロールバルブが調節されることを特徴とする請求項１０に記載の方法。
【請求項１３】
前記少なくとも１つのコントロールバルブが前記第１のガス供給ライン上の第１のコントロールバルブと前記第２のガス供給ライン上の第２のコントロールバルブとを備え、
前記方法が、
前記第１及び第２のガス供給ラインにおける混合ガス流量を測定する工程と、
前記第１及び第２のガス供給ラインにおける混合ガス流量を調節するために、少なくとも前記第１のコントロールバルブ及び前記第２のコントロールバルブのいずれかを調節する工程とを含むことを特徴とする請求項１０に記載の方法。
【請求項１４】
前記少なくとも１つのコントロールバルブが可変スプリッターバルブを備え、
前記方法が
前記第１の供給ラインへ第１の比率の混合ガスを供給し、前記第２のガス供給ラインへ第２の比率の混合ガスを供給するために、前記可変スプリッターバルブを操作する工程を含むことを特徴とする請求項１０に記載の方法。
【請求項１５】
前記少なくとも１つの流量測定装置が前記第１及び第２のガス供給ラインにおける混合ガス流量を測定し、前記測定された流量に応じて前記コントロールバルブが操作されることを特徴とする請求項１４に記載の方法。
【請求項１６】
前記半導体基板がシリコンウェーハを備え、前記方法は前記ウェーハ上の誘電体、半導体又は導電体物質層をドライエッチングする工程を含むことを特徴とする請求項１０に記載の方法。
【請求項１７】
前記半導体基板上に物質の層を蒸着する工程を含むことを特徴とする請求項１０に記載の方法。
【請求項１８】
前記混合マニホールドへ供給されるガス流量を制御するために、前記ガス供給部と前記混合マニホールドとの間のマスフローコントローラーを操作する工程を更に備えることを特徴とする請求項１０に記載の方法。
【請求項１９】
前記チャンバーがRFエネルギーを用いて混合ガスにエネルギーを与えてプラズマ状態にするプラズマエッチングチャンバーを備え、前記方法が前記プラズマによって基板をエッチングする工程を含むことを特徴とする請求項１０に記載の方法。
【請求項２０】
前記チャンバーが、プラズマがチャンバー内で生成されるプラズマエッチングチャンバーを備え、
前記プラズマによって前記基板上の２酸化ケイ素、アルミニウム、または多結晶シリコンをエッチングする工程を含むことを特徴とする請求項１０に記載の方法。
【請求項２１】
前記チャンバーが、プラズマがチャンバー内で生成されるプラズマエッチングチャンバーを備え、
Cl2、BCl3、HBrから選択される少なくとも１つのハロゲンガスと、O2とN2とCHF3及びCF4から選択されるフルオロカーボンとのいずれかと、を前記混合マニホールドで混合する工程と、
エネルギーを与えて前記混合ガスをプラズマ状態にする工程と、
前記プラズマによって前記基板をエッチングする工程と
を含むことを特徴とする請求項１０に記載の方法。
【請求項２２】
前記チャンバーが、プラズマがチャンバー内で生成されるプラズマエッチングチャンバーを備え、
フルオロカーボンとO2またはC2H4とを混合する工程と、
エネルギーを与えて前記混合ガスをプラズマ状態にする工程と、
前記プラズマによって前記基板をエッチングする工程と
を含むことを特徴とする請求項１０に記載の方法。
【請求項２３】
前記コントローラーが、前記ガス供給部から前記混合マニホールドへ供給される合計ガス流量を監視し、前記合計ガス流量と前記第１のガス供給ラインで測定されたガス流量とを、前記第２のガス供給ラインの目標流量と比較し、前記第１及び第２のガス供給ラインで所望の目標流量比を得るために、前記コントローラーによって前記少なくとも１つのコントロールバルブが繰り返し調節されることを特徴とする請求項１０に記載の方法。
【請求項２４】
第１及び第２のマスフローコントローラーが前記第１及び第２のガス供給ライン上に位置し、前記第１のマスフローコントローラーが全開となるように操作され、前記第２のマスフローコントローラーの設定値が繰り返し調節されることを特徴とする請求項２３に記載の方法。
【請求項２５】
第１及び第２のマスフローコントローラーが前記第１及び第２のガス供給ライン上に位置し、現在の流量値と、現在値と目標流量との間の差分の倍数とに基づいて制御される前記マスフローコントローラーに新しい設定値を繰り返し与えることによって、分割ガス流量の安定にかかる時間が減少されることを特徴とする請求項２３に記載の方法。
【外国語明細書】
2011233905000001.pdf